(57)【特許請求の範囲】
【請求項１】
基端側に消火水流入口を有すると共に、先端側に消火水噴出口を有し、且つ内部に該消火水流入口と該消火水噴出口とを連通させる消火水流路を有するヘッド本体と、該ヘッド本体の消火水噴出口を閉鎖する弁体を閉鎖状態に支持する感熱分解部と、該ヘッド本体の前方に延在する一対のアームによって形成され、内側に該感熱分解部が固定されるフレームと、該フレームの先端部に設けられ、消火水を所定の散水領域に向けて散水させるデフレクタとを備えた消火用の噴霧ヘッドにおいて、
前記デフレクタとして、前記一対のアームの接合部分より先端側に設けられる第１のデフレクタと第２のデフレクタであって、円板状に形成される第１のデフレクタと、該第１のデフレクタよりも大径の円板状に形成され、且つ該第１のデフレクタの前方に配置される第２のデフレクタとを設け、
前記第１のデフレクタは、前記第２のデフレクタに向けて消火水を通過させる通水孔を有しており、前記通水孔は、周方向に沿って延在する帯状をなすことを特徴とする消火用の噴霧ヘッド。
【請求項２】
前記第１のデフレクタと前記第２のデフレクタとの間に間隙が設けられていることを特徴とする請求項１に記載の消火用の噴霧ヘッド。
【請求項３】
基端側に消火水流入口を有すると共に、先端側に消火水噴出口を有し、且つ内部に該消火水流入口と該消火水噴出口とを連通させる消火水流路を有するヘッド本体と、該ヘッド本体の消火水噴出口を閉鎖する弁体を閉鎖状態に支持する感熱分解部と、該ヘッド本体の前方に延在する一対のアームによって形成され、内側に該感熱分解部が固定されるフレームと、該フレームの先端部に設けられ、消火水を所定の散水領域に向けて散水させるデフレクタとを備えた消火用の噴霧ヘッドにおいて、
前記デフレクタとして、前記一対のアームの接合部分より先端側に設けられる第１のデフレクタと第２のデフレクタであって、円板状に形成される第１のデフレクタと、該第１のデフレクタよりも大径の円板状に形成され、且つ該第１のデフレクタの前方に配置される第２のデフレクタとを設け、
前記第１のデフレクタと前記第２のデフレクタとは、何れも、周縁部に幅が一定の棒状の爪部が設けられ、該爪部は複数が周方向に所定の角度間隔で配置されて設けられ、かつ全て前記ヘッド本体側に折り曲げられており、
前記消火水噴出口が上向きに設置されることを特徴とする消火用の噴霧ヘッド。
【発明の詳細な説明】
【技術分野】
【０００１】
この発明は、消火用の噴霧ヘッドに関する。
【背景技術】
【０００２】
従来、消火用の噴霧ヘッドにおいて、消火水の噴出口の前方に延在する一対のアームによって馬蹄形状に形成され、内側に消火水の噴出口を閉鎖する弁体を支持するグラスバルブ等の感熱分解部が固定されるフレームを備えているものがある。
【０００３】
通常、この種の噴霧ヘッドは、所定の散水分布が得られるようにするために、噴出口から噴出する消火水を衝突させて所定の方向に分散させるデフレクタをフレームの先端部に備えている（例えば、特許文献１参照。）。
【先行技術文献】
【特許文献】
【０００４】
【特許文献１】特開平２００３−６２１１３号公報
【発明の概要】
【発明が解決しようとする課題】
【０００５】
しかしながら、この種の噴霧ヘッドの場合、前記のようなデフレクタを備えていても、例えば、消火水の噴出口の前方に位置するフレームが散水の障害となって、フレームの裏側に対応する領域への散水量が 不足してしまう等して、所定の散水分布が得られなくなってしまうことがある。特に、ヘッドの仕様上、消火水噴出口から噴出する消火水の流量を少なく設定する場合に、このような問題が顕著に現れることとなる。
【０００６】
つまり、このような消火水流路の形状を持つ噴霧ヘッドには、噴出する消火水の流量を少なくすると、所定の散水分布が得られなくなってしまうことがあるという問題がある。
【０００７】
この発明は、前記の事情に鑑み、噴出する消火水の流量を少なくする場合でも、所定の散水分布が得られるようにすることができる消火用の噴霧ヘッドを提供することを目的とする。
【課題を解決するための手段】
【０００８】
この発明は、基端側に消火水流入口を有すると共に、先端側に消火水噴出口を有し、且つ内部に該消火水流入口と該消火水噴出口とを連通させる消火水流路を有するヘッド本体と、該ヘッド本体の消火水噴出口を閉鎖する弁体を閉鎖状態に支持する感熱分解部と、該ヘッド本体の前方に延在する一対のアームによって形成され、内側に該感熱分解部が固定されるフレームと、該フレームの先端部に設けられ、消火水を所定の散水領域に向けて散水させるデフレクタとを備えた消火用の噴霧ヘッドにおいて、前記デフレクタとして、前記一対のアームの接合部分より先端側に設けられる第１のデフレクタと第２のデフレクタであって、円板状に形成される第１のデフレクタと、該第１のデフレクタよりも大径の円板状に形成され、且つ該第１のデフレクタの前方に配置される第２のデフレクタとを設け、前記第１のデフレクタは、前記第２のデフレクタに向けて消火水を通過させる通水孔を有しており、前記通水孔は、周方向に沿って延在する帯状をなすことを特徴とする消火用の噴霧ヘッドである。
【００１０】
又、この発明は、前記第１のデフレクタと前記第２のデフレクタとの間に間隙が設けられていることを特徴とする消火用の噴霧ヘッドである。
【００１１】
又、この発明は、基端側に消火水流入口を有すると共に、先端側に消火水噴出口を有し、且つ内部に該消火水流入口と該消火水噴出口とを連通させる消火水流路を有するヘッド本体と、該ヘッド本体の消火水噴出口を閉鎖する弁体を閉鎖状態に支持する感熱分解部と、該ヘッド本体の前方に延在する一対のアームによって形成され、内側に該感熱分解部が固定されるフレームと、該フレームの先端部に設けられ、消火水を所定の散水領域に向けて散水させるデフレクタとを備えた消火用の噴霧ヘッドにおいて、前記デフレクタとして、前記一対のアームの接合部分より先端側に設けられる第１のデフレクタと第２のデフレクタであって、円板状に形成される第１のデフレクタと、該第１のデフレクタよりも大径の円板状に形成され、且つ該第１のデフレクタの前方に配置される第２のデフレクタとを設け、前記第１のデフレクタと前記第２のデフレクタとは、何れも、周縁部に幅が一定の棒状の爪部が設けられ、該爪部は複数が周方向に所定の角度間隔で配置されて設けられ、かつ全て前記ヘッド本体側に折り曲げられており、前記消火水噴出口が上向きに設置されることを特徴とする消火用の噴霧ヘッドである。
【発明の効果】
【００１３】
この発明においては、消火水を散水させるデフレクタとして、円板状に形成される第１のデフレクタと、該第１のデフレクタよりも大径の円板状に形成され、且つ第１のデフレクタの前方に位置する第２のデフレクタとを設けたことで、第１のデフレクタにより消火水を第２のデフレクタに向けて誘導したり、対応する領域ごとの散水距離や散水密度を増やしたりすることができ、デフレクタ全体としての消火水の散水効果を向上させることができる。
【００１４】
従って、この発明によれば、噴出する消火水の水量が少なくする場合でも、所定の散水分布が得られるようにすることができる。
【図面の簡単な説明】
【００１５】
【図１】この発明の一例である第１の実施形態の噴霧ヘッド（下向き型）を示したものであり、感熱分解部が破壊されておらず、弁体が消火水噴出口を閉鎖している状態における（ａ）が正面図、（ｂ）が側面図、（ｃ）が底面図、（ｄ）が（ｂ）のＡ−Ａ線矢視断面図である。
【図２】同上を示したものであり、感熱分解部が破壊され、弁体が消火水噴出口を解放している状態における（ａ）が図１（ｂ）のＡ−Ａ線矢視拡大断面図、（ｂ）が同Ｂ−Ｂ線矢視拡大断面図である。
【図３】同上の噴霧ヘッドにおける第１のデフレクタ単体を示したものであり、（ａ）が平面図、（ｂ）がＡ−Ａ線断面図である。
【図４】この発明の一例である第２の実施形態の噴霧ヘッド（上向き型）を示したものであり、感熱分解部が破壊されておらず、弁体が消火水噴出口を閉鎖している状態における（ａ）が正面図、（ｂ）が側面図、（ｃ）が上面図である。
【図５】同上を示したものであり、感熱分解部が破壊され、弁体が消火水噴出口を解放している状態における（ａ）が図４（ｂ）のＡ−Ａ線矢視拡大断面図、（ｂ）が同Ｂ−Ｂ線矢視拡大断面図である。
【図６】同上の噴霧ヘッドにおける第１のデフレクタ単体を示したものであり、（ａ）が平面図、（ｂ）が 正面図である。
【発明を実施するための形態】
【００１６】
[第１の実施形態]
先ず、図１乃至図３に基づいて、第１の実施形態の噴霧ヘッド１−１について説明する。
【００１７】
尚、本実施形態の噴霧ヘッド１−１は、接続される消火水供給用の配管内に常時消火水が充水される閉鎖型の噴霧ヘッドにこの発明を適用する場合の一例を示すものであり、又、消火水の放出口が下向きに設置される下向き型の噴霧ヘッドにこの発明を適用する場合の一例を示すものである。
【００１８】
噴霧ヘッド１−１は、基端側に消火水流入口２を有すると共に、先端側に消火水噴出口３を有し、且つ内部に消火水流入口２と消火水噴出口３とを連通させる消火水流路４を有するヘッド本体５と、常時は消火水噴出口３を閉鎖し、火災時は消火水噴出口３を開放する弁体６ と、常時は弁体６を閉鎖状態に維持し、火災時は分解して弁体６を開放状態にする感熱分解部の一例であるグラスバルブ７と、ヘッド本体５の前方（消火水の噴出方向側）に延在する左右一対のアーム８ａ，８ｂによって全体として馬蹄形状に形成され、内側にグラスバルブ７が固定されるフレーム８と、フレーム８の先端部８ｄとなる一対のアーム８ａ，８ｂの接合部分８ｃの先端部に設けられ、消火水を所定の散水領域に向けて散水するデフレクタ９−１とを備えている（図１及び図２参照）。
【００１９】
尚、噴霧ヘッド１−１は、ヘッド本体５の外周面に形成されているネジ部１０によって図示しない消火設備の配管に接続されることになるが、前記の通り、閉鎖型のものであるので、常時消火水が充水されている配管に接続されることとなり、又、前記の通り、下向き型のものであるので、消火水噴出口３を下向きにして配管に接続されることとなる。
【００２０】
そして、噴霧ヘッド１−１は、前記の通り、消火水を所定の散水領域に向けて散水するデフレクタ９−１を備えているが、具体的には、そのデフレクタ９−１として、円板状に形成される第１のデフレクタ９ａと、第１のデフレクタ９ａよりも大径の円板状に形成され、且つ第１のデフレクタ９ａの前方（消火水の噴出方向側）に配置される第２のデフレクタ９ｂとを備えている。
【００２１】
ここで、噴霧ヘッド１−１は、消火水を所定の散水領域に向けて散水するデフレクタ９−１として、円板状に形成される第１のデフレクタ９ａと、第１のデフレクタ９ａよりも大径の円板状に形成され、且つ第１のデフレクタ９ａの前方に配置される第２のデフレクタ９ｂとを備えていることで、第１のデフレクタ９ａにより消火水を第２のデフレクタ９ｂに向けて誘導することができ、デフレクタ９−１全体としての消火水の散水効果を向上させることができるようになっている。
【００２２】
従って、噴霧ヘッド１−１は、噴出する消火水の水量が少なく設定したとしても、所定の散水分布が得られるようにすることが可能である。
【００２３】
更に、本実施形態について詳細に説明する。
【００２４】
デフレクタ９−１において、第１のデフレクタ９ａは、前記の通り、消火水を第２のデフレクタ９ｂに向けて誘導することができるようになっているが、具体的には、第２のデフレクタ９ｂに向けて消火水を通過させる通水孔９ｃを備えており、その通水孔９ｃを介して第２のデフレクタ９ｂに向けて消火水を誘導することができるようになっている（図２及び図３参照）。
【００２５】
又、第１のデフレクタ９ａと第２のデフレクタ９ｂとの間には、適宜の寸法の間隙９ｄが設けられている（図１（ａ）参照）。この間隙９ｄがあることにより第１のデフレクタ９ａの通水孔９ｃを介して第２のデフレクタ９ｂに向けて消火水を矢印Ｗ１，Ｗ２で示したように誘導することができるようになっている（図２（ａ）参照）。尚、９ｆは第１のデフレクタ９ａと第２のデフレクタ９ｂとの間に介在するスペーサであり、このスペーサ９ｆの高さによって間隙９ｄの高さ寸法を適宜決定することができる。
【００２６】
第１のデフレクタ９ａは、前記の通り、通水孔９ｃを介して第２のデフレクタ９ｂに向けて消火水を誘導することができるようになっているが、それだけでなく、消火水噴出口３から噴出された消火水が第１のデフレクタ９ａ又は第２のデフレクタ９ｂに衝突して天井面側となるヘッド本体５側に跳ね返るのを防ぐことができるようになっている。即ち、第１のデフレクタ９ａは、消火水が通水孔９ｃを通過することにより天井面側に跳ね返るのを防ぐことができ、又、通水孔９ｃを通過して第２のデフレクタ９ｂに至る消火水が跳ね返ったとしても、第１のデフレクタ９ａの第２のデフレクタ９ｂに対向する面に衝突することにより第１のデフレクタａを越えて天井面側に跳ね返るのを防ぐことができるようになっている。
【００２７】
つまり、噴霧ヘッド１−１は、デフレクタ９−１として、第１のデフレクタ９ａと第２のデフレクタ９ｂとを備えていることで、消火水を第１のデフレクタ９ａから第２のデフレクタ９ｂに誘導することによって、消火水の散水効果を向上させることができるようになっているだけでなく、消火水が天井面側に跳ね返るのを防ぎ、消火水が天井面に衝突してヘッド直下に落ちるのを防ぐことによっても、消火水の散水効果を向上させることができるようになっている。
【００２８】
即ち、従来のようにデフレクタが１枚であれば、消火水の一部が天井面に衝突するため、消火水の全てを有効に散水することができず、噴出する消火水の流量を少なくする場合において、所定の散水領域の外周部に対する必要な散水量が不足して、所定の散水分布が得られない虞があった。しかし、本発明の実施の形態１では、第１のデフレクタ９ａの前方に第２のデフレクタ９ｂを設けたことで、第２のデフレクタ９ｂで跳ね上がった消火水は第１のデフレクタ９ａに衝突し、散水分布の外周部へ散水するように誘導される（矢印Ｗ１）と共に、第２のデフレクタ９ｂのスリット９ｅを抜ける消火水は散水分布の中央部に散布される（矢印Ｗ２）ため、ほぼ全ての消火水を有効に散水することができ、かつ所定の散水分布を得ることができる。従って、噴出する消火水の流量を少なくしたとしても、デフレクタ９−１の外周側に充分な量の消火水を供給することできるので、所定の散水領域の外周部に対して、必要な散水量を供給することができて、所定の散水分布を得ることができる。
【００２９】
第１のデフレクタ９ａの通水孔９ｃの数、形状、配置等についてであるが、本実施形態においては、数としては、複数、具体的には４つあるものとなっており、形状としては、周方向に沿って延在する帯状をなすものとなっており、配置としては、周方向に所定の角度間隔、具体的には９０度の等角度間隔で並ぶものとなっている（図２（ｂ）及び図３（ａ）参照）。
【００３０】
又、本実施形態において、第２のデフレクタ９ｂは、中心側から径方向に延在して周縁に至るスリット９ｅが複数、具体的には８つ設けられていて、それらが周方向に所定の角度間隔、具体的には４５度の等角度間隔で配置されたものとなっており、それらのうち９０度間隔で配置されている４つのスリット９ｅは第１のデフレクタ９ａの通水孔９ｃと対向する位置に設けられ、それら４つのスリット９ｅの基端部が平面視で第１のデフレクタ９ａの通水孔９ｃから覗く位置に設けられたものとなっている。これにより、第１のデフレクタ９ａの通水孔９ｃを介して第２のデフレクタ９ｂに向けて誘導される消火水は、矢印Ｗ１で示したように第２のデフレクタ９ｂ上を流れるものと、矢印Ｗ２で示したように第２のデフレクタ９ｂのスリットｅを通過するものとに分かれるようになっている。
【００３１】
尚、第１のデフレクタ９ａの通水孔９ｃも、第２のデフレクタ９ｂのスリット９ｅも、何れも、それらの数、形状、配置等の変更は適宜することができる。
【００３２】
[第２の実施形態]
次に、図４乃至図６に基づいて、第２の実施形態の噴霧ヘッド１−２について説明する。
【００３３】
この発明は、第１の実施形態の噴霧ヘッド１−１のような下向き型のものだけでなく、消火水の放出口が上向きに設置される上向き型のものにも適用可能であり、第２の実施形態の噴霧ヘッド１−２は、この発明を上向き型のものに適用する場合を例示するものである。
【００３４】
第２の実施形態の噴霧ヘッド１−２は、天地が逆転している点と、デフレクタ９−２の態様が異なっている点以外は、第１の実施形態の噴霧ヘッド１−１の構成と同様の構成を備えている。
【００３５】
噴霧ヘッド１−２にも、デフレクタ９−２として、円板状に形成される第１のデフレクタ９ｇと、第１のデフレクタ９ｇよりも大径の円板状に形成され、且つ第１のデフレクタ９ｇの前方（消火水の噴出方向側）に配置される第２のデフレクタ９ｈとを備えている。
【００３６】
つまり、噴霧ヘッド１−２も、消火水を所定の散水領域に向けて散水するデフレクタ９−２として、円板状に形成される第１のデフレクタ９ｇと、第１のデフレクタ９ｇよりも大径の円板状に形成され、且つ第１のデフレクタ９ｇの前方に配置される第２のデフレクタ９ｈとを備えていることで、第１のデフレクタ９ｇにより消火水を第２のデフレクタ９ｈに向けて矢印Ｗ３で示したように誘導することができ、デフレクタ９−２全体としての消火水の散水効果を向上させることができるようになっている。
【００３７】
従って、噴霧ヘッド１−２は、噴出する消火水の水量が少なく設定したとしても、所定の散水分布が得られるようにすることが可能である。
【００３８】
更に、本実施形態について詳細に説明する。
【００３９】
デフレクタ９−２は、第１のデフレクタ９ｇにも、第２のデフレクタ９ｈにも、周縁部に爪部９ｉ，９ｊが複数、周方向に所定の角度間隔で配置されて設けられたものとなっている。
【００４０】
尚、デフレクタ９−２において、第１のデフレクタ９ｇと第２のデフレクタ９ｈとは互いに接するように設けられており、即ち、両者間には間隙はないものとなっている。
【００４１】
デフレクタ９−２は、第１のデフレクタ９ｇにより、前記の通り、第２のデフレクタ９ｈに向けて消火水を誘導することができるようになっているが、それだけでなく、第１デフレクタ９ｇにも周縁部に爪部９ｉが設けられていることで、第１のデフレクタ９ｇにより、デフレクタ９−２の散水領域中、内側の領域に対応し、その対応する領域への散水距離や散水密度を増やすことができるようになっている。
【００４２】
つまり、噴霧ヘッド１−２は、デフレクタ９−２として、第１のデフレクタ９ｇと第２のデフレクタ９ｈとを備えていることで、消火水を第１のデフレクタ９ｇから第２のデフレクタ９ｈに誘導することによって、消火水の散水効果を向上させることができるようになっているだけでなく、対応する領域ごとに散水距離や散水密度を増やすことによっても、消火水の散水効果を向上させることができるようになっている。
【００４３】
即ち、噴出する消火水の流量を少なくする場合、所定の散水領域に対して、必要な散水量が不足して、所定の散水分布が得られない虞がある。しかし、本発明の実施の形態２では、爪部９ｉを有する第１のデフレクタ９ｇの前方に爪部９ｊを有する第２のデフレクタ９ｈを設けたことで、爪部９ｉに衝突した消火水は散水分布の中央付近に散布され、爪部９ｉを抜けて爪部９ｊに衝突した消火水は散水分布の中央部より外側であり、かつ外周部より内側に散水され、爪部９ｊを抜けた消火水は散水分布の外周部に散布される。従って、噴出する消火水の流量を少なくする場合においても、所定の散水領域に対して、必要な散水量を供給することができて、かつ所定の散水分布を得ることができる。
【００４４】
以上、この発明の実施形態について説明したが、この発明は上記の実施形態に限定されるものではない。
【００４５】
例えば、噴霧ヘッド１−１においても、噴霧ヘッド１−２においても、噴霧ヘッドから噴出させる消火水としては、水をそのまま用いることもできるが、泡消火薬剤等を適宜の比率（例えば３％程度）で混合した泡水溶液を用いることもできる。消火水として泡水溶液を用いる場合、噴出する泡水溶液の水量を少なく設定したとしても、水をそのまま用いた場合と同様、所定の散水分布が得られるようにすることがでる。それに加えて、噴霧ヘッド１−１の場合は、泡水溶液が第１のデフレクタ９ａ及び／又は第２のデフレクタ９ｂに衝突し、噴霧ヘッド１−２の場合は、泡水溶液がデフレクタ９−２並びに爪部９ｉ及び／又は９ｊ衝突するため、従来のデフレクタが１枚の噴霧ヘッドに比べて泡水溶液の衝突回数が多く、泡水溶液が散布される際に飛距離を確保できる程度に、かつ消火能力が高まるような所定の発泡倍率（例えば、５倍程度）を得ることができる。
【符号の説明】
【００４６】
１−１，１−２：噴霧ヘッド  ２：消火水流入口  ３：消火水噴出口
４：消火水流路  ５：ヘッド本体  ６：弁体  ７：グラスバルブ
８：フレーム  ８ａ，８ｂ：アーム  ８ｃ：接合部分  ８ｄ：先端部
９−１，９−２：デフレクタ  ９ａ，９ｇ：第１のデフレクタ
９ｂ，９ｈ：第２のデフレクタ  ９ｃ：通水孔  ９ｄ：間隙  ９ｅ：スリット
９ｆ：スペーサ  ９ｉ，９ｊ：爪部  Ｗ１，Ｗ２：消火水
【図１】
0006422251.tif 000002
【図２】
0006422251.tif 000003
【図３】
0006422251.tif 000004
【図４】
0006422251.tif 000005
【図５】
0006422251.tif 000006
【図６】
0006422251.tif 000007